(57)【要約】【課題】あるノード内のＲＰＲ  ＩＦに障害が発生した場合でも、この障害がパケットリングネットワーク全体に与える影響を減少させる。【解決手段】ノード１ｅ内のＲＰＲ  ＩＦ９において障害が発生した場合、ノード１ｅ内では、この障害を検知して、使用する経路がノード内経路５から、高速側ＩＦ２２ａと高速側ＩＦ２２ｂを直接接続するノード内冗長用経路６に切り替えられる。その結果、ノード内冗長用経路６により高速側ＩＦ２２ａと高速側ＩＦ２２ｂとが接続され、ノード１ｅを通過する信号は保護される。その結果、ＲＰＲ  ＩＦ９を通過する信号はＲＰＲ切替を受けることなく障害発生前と同一経路を維持することが出来る為、迂回ルートへの影響を抑えることが可能となる。【選択図】図１
2006311416.tif 000002
【特許請求の範囲】
【請求項１】
複数のノードがＳＤＨ／ＳＯＮＥＴ伝送路によりリング状に接続されたデータ伝送システムであって、
前記各ノードが、
隣接する第１のノードからのＳＤＨ／ＳＯＮＥＴ信号を受信して終端処理を行うとともに隣接する前記第１のノードに対して送信するためのＳＤＨ／ＳＯＮＥＴ信号の生成を行う第１の高速側インタフェース回路と、
隣接する第２のノードからのＳＤＨ／ＳＯＮＥＴ信号を受信して終端処理を行うとともに隣接する前記第２のノードに対して送信するためのＳＤＨ／ＳＯＮＥＴ信号の生成を行う第２の高速側インタフェース回路と、
隣接する前記第１のノードからのＳＤＨ／ＳＯＮＥＴ信号の終端処理を行って該ＳＤＨ／ＳＯＮＥＴ信号にマッピングされているＲＰＲフレーム信号を各宛先経路毎に振り分けるとともに、隣接する前記第１のノードに送信するためのＲＰＲフレーム信号をＳＤＨ／ＳＯＮＥＴ信号にマッピングする第１のＲＰＲ信号処理部と、隣接する前記第２のノードからのＳＤＨ／ＳＯＮＥＴ信号の終端処理を行って該ＳＤＨ／ＳＯＮＥＴ信号にマッピングされているＲＰＲフレーム信号を各宛先経路毎に振り分けるとともに、隣接する前記第２のノードに送信するためのＲＰＲフレーム信号をＳＤＨ／ＳＯＮＥＴ信号にマッピングする第２のＲＰＲ信号処理部とを備え、前記第１および第２のＲＰＲ信号処理部からのＲＰＲフレーム信号に対して挿入、分岐、通過処理を行うＲＰＲインタフェース回路と、
前記第１および第２の高速側インタフェース回路から入力されたＳＤＨ／ＳＯＮＥＴ信号に対して、前記第１および第２のＲＰＲ信号処理部に接続するノード内経路または対向する前記第１および第２の高速側インタフェース回路に直接接続するノード内冗長用経路のいずれかの経路を選択してスイッチングを行うＳＤＨ／ＳＯＮＥＴレイヤスイッチ部と、
前記ＲＰＲインタフェース回路における障害の発生を検出するための障害検出部と、
前記障害検出部により障害の発生が検出されない場合、前記ＳＤＨ／ＳＯＮＥＴレイヤスイッチ部に対して前記ノード内経路の選択を行うように指示し、前記障害検出部により障害の発生が検出された場合、前記ＳＤＨ／ＳＯＮＥＴレイヤスイッチ部に対して前記ノード内冗長用経路の選択を行うように指示する切替制御部と、を備えているデータ伝送システム。
【請求項２】
前記ＳＤＨ／ＳＯＮＥＴレイヤスイッチ部が、
前記第１の高速側インタフェース回路からのＳＤＨ／ＳＯＮＥＴ信号を分岐して、分岐した一方の信号を前記第１のＲＰＲ信号処理部に出力する第１の分岐部と、
前記第２の高速側インタフェース回路からのＳＤＨ／ＳＯＮＥＴ信号を分岐して、分岐した一方の信号を前記第２のＲＰＲ信号処理部に出力する第２の分岐部と、
前記切替制御部からノード内冗長用経路の選択を行うよう指示された場合、前記第１の分岐部により分岐された他方の信号を選択して前記第２の高速側インタフェース回路に出力し、前記切替制御部からノード内経路の選択を行うよう指示された場合、前記第２のＲＰＲ信号処理部からの信号を選択して前記第２の高速側インタフェース回路に出力する第１のセレクタと、
前記切替制御部からノード内冗長用経路の選択を行うよう指示された場合、前記第２の分岐部により分岐された他方の信号を選択して前記第１の高速側インタフェース回路に出力し、前記切替制御部からノード内経路の選択を行うよう指示された場合、前記第１のＲＰＲ信号処理部からの信号を選択して前記第１の高速側インタフェース回路に出力する第２のセレクタと、
から構成されている請求項１記載のデータ伝送システム。
【請求項３】
複数のノードがＳＤＨ／ＳＯＮＥＴ伝送路により接続されたデータ伝送システムであって、
前記各ノードの少なくも１つが、
隣接する第１のノードからのＳＤＨ／ＳＯＮＥＴ信号を受信して終端処理を行うとともに隣接する前記第１のノードに対して送信するためのＳＤＨ／ＳＯＮＥＴ信号の生成を行う第１の高速側インタフェース回路と、
隣接する第２のノードからのＳＤＨ／ＳＯＮＥＴ信号を受信して終端処理を行うとともに隣接する前記第２のノードに対して送信するためのＳＤＨ／ＳＯＮＥＴ信号の生成を行う第２の高速側インタフェース回路と、
隣接する前記第１のノードからのＳＤＨ／ＳＯＮＥＴ信号の終端処理を行って該ＳＤＨ／ＳＯＮＥＴ信号にマッピングされているフレーム信号を各宛先経路毎に振り分けるとともに、隣接する前記第１のノードに送信するためのフレーム信号をＳＤＨ／ＳＯＮＥＴ信号にマッピングする第１の信号処理部と、隣接する前記第２のノードからのＳＤＨ／ＳＯＮＥＴ信号の終端処理を行って該ＳＤＨ／ＳＯＮＥＴ信号にマッピングされているフレーム信号を各宛先経路毎に振り分けるとともに、隣接する前記第２のノードに送信するためのフレーム信号をＳＤＨ／ＳＯＮＥＴ信号にマッピングする第２の信号処理部とを備え、前記第１および第２の信号処理部からのフレーム信号に対して挿入、分岐、通過処理を行うレイヤ２スイッチインタフェース回路と、
前記第１および第２の高速側インタフェース回路から入力されたＳＤＨ／ＳＯＮＥＴ信号に対して、前記第１および第２の信号処理部に接続するノード内経路または対向する前記第１および第２の高速側インタフェース回路に直接接続するノード内冗長用経路のいずれかの経路を選択してスイッチングを行うＳＤＨ／ＳＯＮＥＴレイヤスイッチ部と、
前記インタフェース回路における障害の発生を検出するための障害検出部と、
前記障害検出部により障害の発生が検出されない場合、前記ＳＤＨ／ＳＯＮＥＴレイヤスイッチ部に対して前記ノード内経路の選択を行うように指示し、前記障害検出部により障害の発生が検出された場合、前記ＳＤＨ／ＳＯＮＥＴレイヤスイッチ部に対して前記ノード内冗長用経路の選択を行うように指示する切替制御部と、を備えているデータ伝送システム。
【請求項４】
前記ＳＤＨ／ＳＯＮＥＴレイヤスイッチ部が、
前記第１の高速側インタフェース回路からのＳＤＨ／ＳＯＮＥＴ信号を分岐して、分岐した一方の信号を前記第１の信号処理部に出力する第１の分岐部と、
前記第２の高速側インタフェース回路からのＳＤＨ／ＳＯＮＥＴ信号を分岐して、分岐した一方の信号を前記第２の信号処理部に出力する第２の分岐部と、
前記切替制御部からノード内冗長用経路の選択を行うよう指示された場合、前記第１の分岐部により分岐された他方の信号を選択して前記第２の高速側インタフェース回路に出力し、前記切替制御部からノード内経路の選択を行うよう指示された場合、前記第２の信号処理部からの信号を選択して前記第２の高速側インタフェース回路に出力する第１のセレクタと、
前記切替制御部からノード内冗長用経路の選択を行うよう指示された場合、前記第２の分岐部により分岐された他方の信号を選択して前記第１の高速側インタフェース回路に出力し、前記切替制御部からノード内経路の選択を行うよう指示された場合、前記第１のＲＰＲ信号処理部からの信号を選択して前記第１の高速側インタフェース回路に出力する第２のセレクタと、
から構成されている請求項３記載のデータ伝送システム。
【発明の詳細な説明】
【技術分野】
【０００１】
本発明は、複数のノードがＳＤＨ（Synchronous Digital Hierarchy）／ＳＯＮＥＴ（Synchronous Optical Network）伝送路により接続されたデータ伝送システムに関し、特に、ＳＤＨ／ＳＯＮＥＴ伝送路上に構成されたＲＰＲ（Resilient Packet Ring）リングネットワークまたはＬ２スイッチネットワークに関する。
【背景技術】
【０００２】
イーサネット（登録商標）により構成されたネットワークの可用性を高める技術としてＲＰＲという技術が近年注目されている。このＲＰＲはIEEE802.17にて標準化されたイーサネットのネットワークで、５０ｍｓ以内の障害回避時間を実現する技術である。このＲＰＲを用いることでイーサネット（登録商標）の利点であるパケット多重による統計多重効果を維持しつつＳＤＨ／ＳＯＮＥＴ並みの障害回避機能をもったパケットリングネットワークを構築することができる。そして、このＲＰＲをＳＤＨ／ＳＯＮＥＴ伝送路上に構成するネットワークが開発されるようになっている。
【０００３】
図８にＳＤＨ／ＳＯＮＥＴ伝送路上に構成された従来のＲＰＲリングネットワークを示す。この従来のＰＲＰリングネットワークは、図８に示されるように、６つのノード３２ａ〜３２ｆがリング状に接続されることにより構成されている。
【０００４】
各ノード３２ａ〜３２ｆは、それぞれ、高速側インタフェース回路（以下、高速側ＩＦと略す。）３４ａ、３４ｂと、ＲＰＲインタフェース回路（以下、ＲＰＲ  ＩＦと略す。）３５とを備えている。
【０００５】
高速側ＩＦ３４ａ、３４ｂは、それぞれ、隣接するノードからのＳＤＨ／ＳＯＮＥＴ信号を受信して、受信したＳＤＨ／ＳＯＮＥＴ信号の終端を行うとともに、隣接するノードに対して送信するためのＳＤＨ／ＳＯＮＥＴ信号を生成する。
【０００６】
ここでのＳＤＨ／ＳＯＮＥＴ信号の終端とは、高速伝送路からのＳＤＨ／ＳＯＮＥＴ信号のヘッダ情報を読み込んでエラーをチェックし、ＳＤＨ／ＳＯＮＥＴフレーム内に収納された様々なデータをそれぞれの経路に振り分けることを意味している。また、ＳＤＨ／ＳＯＮＥＴ信号の生成とは、隣接するノードに送信するためのデータをＳＤＨ／ＳＯＮＥＴフレーム内に収納し、ヘッダ情報等を付加して隣接するノードへの高速伝送路に送信することを意味している。
【０００７】
ノード間を伝わるＳＤＨ／ＳＯＮＥＴフレームデータの格納部部には、ＳＤＨ／ＳＯＮＥＴ形式のフレームの箱に何重にも層になってデータが格納されている。そのため、高速側ＩＦ３４ａ、３４ｂでは、ＳＤＨ／ＳＯＮＥＴ信号の終端をすることにより、フレーム内に格納されたデータの中身の振り分けを行うのである。
【０００８】
ＲＰＲ  ＩＦ３５は、高速側ＩＦ３４ａ、３４ｂからのＳＤＨ／ＳＯＮＥＴ形式のデータに対して、ＳＤＨ／ＳＯＮＥＴ信号の終端処理を行った後、このＳＤＨ／ＳＯＮＥＴ信号にマッピングされているＲＰＲフレーム信号を各宛先経路毎に振り分けるとともに、隣接するノードに送信するためのＲＰＲフレーム信号をＳＤＨ／ＳＯＮＥＴ信号にマッピングする。
【０００９】
ここで、ノード３２ｆとノード３２ｄと間で信号の送受信を行う場合について考える。何れのノードにも障害が発生していない場合には、ノード３２ｆからの信号は、ノード３２ｅを経由して送受信される。そのため、この信号はノード３２ｅ内の高速側ＩＦ３４ａ、３４ｂ、ＲＰＲ  ＩＦ３５を通過することになる。
【００１０】
しかし、ノード３２ｅにおいて、高速側ＩＦ３４ａ、３４ｂには障害が発生しておらず、ＲＰＲ  ＩＦ３５のみが障害により使用不可能になった場合でも、ノード３２ｆとノード３２ｄ間の信号は、このノード３２ｅを通過することが不可能となる。このような場合には、ノード３２ｄ、３２ｆ内のＲＰＲ  ＩＦではＲＰＲ切替が行われノード３２ｅを迂回する経路が選択される。その結果ノード３２ｆとノード３２ｄ間の信号は、ノード３２ａ、３２ｂ、３２ｃを経由して送受信されることになる。
【００１１】
しかし、このようなＲＰＲリングネットワークでは、他のノード間でも信号の送受信が行われている。例えば、ノード３２ａとノード３２ｂとの間でも信号の送受信が行われている。そのため、同一リング上にある全ての信号が、障害が発生したノード３２ｅを避ける経路を選択する為、迂回路にトラフィックが集中し、輻輳４２が起こる可能性がある。
【００１２】
また、リング状に構成されたデータ伝送ネットワークにおいて、ノード障害あるいは伝送路障害を検出すると、伝送路を流れるトラフィックを元来た経路に折り返すことによりデータの保護を図る障害回避方法も提案されている（例えば、特許文献１参照。）。
【００１３】
しかし、このような障害回避方法では、伝送路を流れるトラフィックは、リングの切れた状態となり、トラフィックが集中して輻輳が発生する可能性を否定することはできない。
【特許文献１】国際公開第９８／１１６９４号パンフレット
【発明の開示】
【発明が解決しようとする課題】
【００１４】
上述した、従来のＳＤＨ／ＳＯＮＥＴ伝送路上に構成されたＲＰＲリングネットワークでは、あるノードのＲＰＲ  ＩＦに障害が発生した場合、他のノードにおいてＲＰＲ切替が動作して障害が発生したＲＰＲ  ＩＦを迂回する経路が選択されるため、迂回路において輻輳が発生したり、リングネットワーク全体の帯域を十分に使用することができないという問題点があった。
【００１５】
本発明の目的は、あるノード内のＲＰＲ  ＩＦに障害が発生した場合でも、この障害がパケットリングネットワーク全体に与える影響を減少させることができるデータ伝送システムを提供することである。
【課題を解決するための手段】
【００１６】
上記目的を達成するために、本発明のデータ伝送システムは、複数のノードがＳＤＨ／ＳＯＮＥＴ伝送路によりリング状に接続されたデータ伝送システムであって、
前記各ノードが、
隣接する第１のノードからのＳＤＨ／ＳＯＮＥＴ信号を受信して終端処理を行うとともに隣接する前記第１のノードに対して送信するためのＳＤＨ／ＳＯＮＥＴ信号の生成を行う第１の高速側インタフェース回路と、
隣接する第２のノードからのＳＤＨ／ＳＯＮＥＴ信号を受信して終端処理を行うとともに隣接する前記第２のノードに対して送信するためのＳＤＨ／ＳＯＮＥＴ信号の生成を行う第２の高速側インタフェース回路と、
隣接する前記第１のノードからのＳＤＨ／ＳＯＮＥＴ信号の終端処理を行って該ＳＤＨ／ＳＯＮＥＴ信号にマッピングされているＲＰＲフレーム信号を各宛先経路毎に振り分けるとともに、隣接する前記第１のノードに送信するためのＲＰＲフレーム信号をＳＤＨ／ＳＯＮＥＴ信号にマッピングする第１のＲＰＲ信号処理部と、隣接する前記第２のノードからのＳＤＨ／ＳＯＮＥＴ信号の終端処理を行って該ＳＤＨ／ＳＯＮＥＴ信号にマッピングされているＲＰＲフレーム信号を各宛先経路毎に振り分けるとともに、隣接する前記第２のノードに送信するためのＲＰＲフレーム信号をＳＤＨ／ＳＯＮＥＴ信号にマッピングする第２のＲＰＲ信号処理部とを備え、前記第１および第２のＲＰＲ信号処理部からのＲＰＲフレーム信号に対して挿入、分岐、通過処理を行うＲＰＲインタフェース回路と、
前記第１および第２の高速側インタフェース回路から入力されたＳＤＨ／ＳＯＮＥＴ信号に対して、前記第１および第２のＲＰＲ信号処理部に接続するノード内経路または対向する前記第１および第２の高速側インタフェース回路に直接接続するノード内冗長用経路のいずれかの経路を選択してスイッチングを行うＳＤＨ／ＳＯＮＥＴレイヤスイッチ部と、
前記ＲＰＲインタフェース回路における障害の発生を検出するための障害検出部と、
前記障害検出部により障害の発生が検出されない場合、前記ＳＤＨ／ＳＯＮＥＴレイヤスイッチ部に対して前記ノード内経路の選択を行うように指示し、前記障害検出部により障害の発生が検出された場合、前記ＳＤＨ／ＳＯＮＥＴレイヤスイッチ部に対して前記ノード内冗長用経路の選択を行うように指示する切替制御部とを備えている。
【００１７】
本発明によれば、ＳＤＨ／ＳＯＮＥＴの高速側インタフェース回路とＲＰＲインタフェース回路とを接続するノード内経路の他に高速側ＩＦ間を直接結ぶノード内冗長用経路を具備し、ＲＰＲインタフェース回路に障害が発生した場合、この障害の発生を障害検出部により検出し、切替制御部によりノード内冗長用経路を選択するようＳＤＨ／ＳＯＮＥＴレイヤスイッチ部を制御することにより、ＲＰＲインタフェース回路において発生した障害をそれを検出したノードのみで回避する。これにより、あるノードでＲＰＲインタフェース回路に障害が発生した場合でも、この障害をそのノードのみで回避することにより、ＲＰＲインタフェース回路を通過する信号はＲＰＲ切替を受けることなく障害発生前と同一経路を維持することが出来る為、迂回ルートへの影響を抑えることが可能となる。
【００１８】
また、前記ＳＤＨ／ＳＯＮＥＴレイヤスイッチ部を、
前記第１の高速側インタフェース回路からのＳＤＨ／ＳＯＮＥＴ信号を分岐して、分岐した一方の信号を前記第１のＲＰＲ信号処理部に出力する第１の分岐部と、
前記第２の高速側インタフェース回路からのＳＤＨ／ＳＯＮＥＴ信号を分岐して、分岐した一方の信号を前記第２のＲＰＲ信号処理部に出力する第２の分岐部と、
前記切替制御部からノード内冗長用経路の選択を行うよう指示された場合、前記第１の分岐部により分岐された他方の信号を選択して前記第２の高速側インタフェース回路に出力し、前記切替制御部からノード内経路の選択を行うよう指示された場合、前記第２のＲＰＲ信号処理部からの信号を選択して前記第２の高速側インタフェース回路に出力する第１のセレクタと、
前記切替制御部からノード内冗長用経路の選択を行うよう指示された場合、前記第２の分岐部により分岐された他方の信号を選択して前記第１の高速側インタフェース回路に出力し、前記切替制御部からノード内経路の選択を行うよう指示された場合、前記第１のＲＰＲ信号処理部からの信号を選択して前記第１の高速側インタフェース回路に出力する第２のセレクタとから構成するようにしてもよい。
【発明の効果】
【００１９】
以上説明したように、本発明によれば、リングネットワークを構成するあるノード内のＲＰＲ  ＩＦで障害が発生した場合、そのノード内において障害の回避を行うことができるので、障害が発生したＲＰＲ  ＩＦを通過する信号はＲＰＲ切替を受けることなく障害発生前と同一経路を維持することが可能となる。そのため、他の迂回ルートへの影響を抑えることができ、迂回路に信号が集中せず、リングネットワーク全体の帯域を有効に利用できるという効果が得られる。
【発明を実施するための最良の形態】
【００２０】
次に、本発明の実施の形態について図面を参照して詳細に説明する。
【００２１】
（第１の実施形態）
図１は本発明の第１の実施形態としてＳＤＨ／ＳＯＮＥＴ伝送路上に構成された６ノード１ａ〜１ｆのＲＰＲリングネットワークを示している。図１においてノード１ａ〜１ｆの各内部ではＲＰＲ  ＩＦ９と高速側ＩＦ２２ａ、２２ｂを接続するノード内経路５の他にノード内で高速側ＩＦ２２ａ、２２ｂ間を直接接続するノード内冗長用経路６が設定されている。
【００２２】
図１に示すノード１ａ〜１ｆ内部の高速側ＩＦ２２ａ、２２ｂ間における冗長構成の詳細を図２を参照して説明する。図２に示されるように、ノード１ａ〜１ｆは、それぞれ高速側ＩＦ２２ａ、２２ｂと、ＲＰＲ  ＩＦ９と、ＳＤＨ／ＳＯＮＥＴレイヤスイッチ部２１と、ＲＰＲ  ＩＦ１５と、切替制御部１６とから構成されている。また、ＳＤＨ／ＳＯＮＥＴレイヤスイッチ部２１は、分岐部１１ａ、１１ｂと、セレクタ１２ａ、１２ｂとから構成されている。また、ＲＰＲ  ＩＦ９には、ＲＰＲ信号処理部１０ａ、１０ｂが備えられている。
【００２３】
高速側ＩＦ（ＷＥＳＴ）２２ａ、高速側ＩＦ（ＥＡＳＴT）２２ｂは、それぞれ、隣接するノードからのＳＤＨ／ＳＯＮＥＴ信号を受信して、受信したＳＤＨ／ＳＯＮＥＴ信号の終端を行うとともに、隣接するノードに対して送信するためのＳＤＨ／ＳＯＮＥＴ信号を生成する。本実施形態における高速側ＩＦ２２ａ、２２ｂは、図８に示した従来例における高速側ＩＦ３４ａ、３４ｂと同じ動作を行うものである。
【００２４】
分岐部１１ａ、１１ｂは、それぞれ、高速側ＩＦ２２ａ、２２ｂから入力された信号を分岐して、分岐した一方の信号をＲＰＲ信号処理部１０ａ、１０ｂに出力し、他方の信号をセレクタ１２ａ、１２ｂに出力する。
【００２５】
ＲＰＲ信号処理部１０ａ、１０ｂは、それぞれ、隣接するノードからのＳＤＨ／ＳＯＮＥＴ信号の終端処理を行って、このＳＤＨ／ＳＯＮＥＴ信号にマッピングされているＲＰＲフレーム信号を取り出して各宛先経路毎に振り分けるとともに、隣接するノードに送信するためのＲＰＲフレーム信号をＳＤＨ／ＳＯＮＥＴ信号にマッピングする。
【００２６】
そして、ＲＰＲ  ＩＦ９は、  ＲＰＲ信号処理部１０ａ、１０ｂからのＲＰＲフレーム信号に対して挿入（アッド）、分岐（ドロップ）、通過（スルー）処理を行う。具体的には、ＲＰＲ  ＩＦ９では、当該ノード宛のＲＰＲフレーム信号に対してはヘッダを変換することによりイーサ（Ether）信号１８に変換して分岐（ドロップ））処理を行い、当該ノードから他のノード宛のイーサ信号１８はＲＰＲフレーム信号に変換して他のノードに送信するＳＤＨ／ＳＯＮＥＴ信号に挿入処理する。また、当該ノードを通過するべき信号については、ＲＰＲ  ＩＦ９内において通過（スルー）処理がされる。
【００２７】
なお、ＲＰＲ  ＩＦ９では、ＲＰＲフレーム信号のヘッダ情報を読み、受信したＲＰＲフレーム信号が、当該ノードにおいて分岐するのか隣接するノードに対して送信するものなかを判定される。ＲＰＲ  ＩＦ９内で通過処理されると判定されたＲＰＲ信号処理部１０ａからのＲＰＲフレーム信号については、再びＲＰＲ信号処理部１０ｂによりＳＤＨ／ＳＯＮＥＴ形式のフレームに収納され（この処理を、ＲＰＲフレームの終端、ＳＤＨ／ＳＯＮＥＴフレームの生成と呼ぶ。）、セレクタ１２ｂに送信される。そして、セレクタ１２ｂより高速側ＩＦ２２ｂに入力されたフレームは再びＳＤＨ／ＳＯＮＥＴフレームとして収納された隣接するノードに対して送信される。
【００２８】
また、ＲＰＲ  ＩＦ９は、ＲＰＲ信号処理部１０ａ、１０ｂから受け取ったＲＰＲフレーム信号またはイーサ信号１８のヘッダ情報を読み取り、受け取ったフレーム信号のスイッチングを行うことを主な目的としているが、ＲＰＲ特有の障害回避動作（ＲＰＲ切替）も行います。この障害動作を行う際に必要な情報はＲＰＲフレームのヘッダ部分に含まれている。ＲＰＲ  ＩＦ９は、この障害情報もスイッチングの際に読み込んで、このデータをどちらに振り分けるかを決定している。また、ＲＰＲ  ＩＦ９が障害を検知した場合にはＲＰＲヘッダに障害情報を記入する。
【００２９】
ＲＰＲ  ＩＦ監視部１５は、ＲＰＲ  ＩＦ９から通知される信号及びＲＰＲ  ＩＦ９の実装状態を監視することにより、ＲＰＲ  ＩＦ９において障害が発生していないかを監視し、その監視結果を切替制御部１６にアラーム信号１９として通知する。つまり、ＲＰＲ  ＩＦ監視部１５は、ＲＰＲ  ＩＦ９における障害の発生を検出するための障害検出部として機能する。
【００３０】
切替制御部１６は、ＲＰＲ  ＩＦ監視部１５からのアラーム信号１９を受けスイッチング信号２０を出力し、セレクタ１２ａ、１２ｂを制御する。具体的には、切替制御部１６は、ＲＰＲ  ＩＦ監視部１５により障害の発生が検出されない場合、ＳＤＨ／ＳＯＮＥＴレイヤスイッチ部２１に対してノード内経路の選択を行うように指示し、ＲＰＲ  ＩＦ監視部１５により障害の発生が検出された場合、ＳＤＨ／ＳＯＮＥＴレイヤスイッチ部２１に対してノード内冗長用経路の選択を行うように指示する。
【００３１】
ＳＤＨ／ＳＯＮＥＴレイヤスイッチ部２１は、高速側インタフェース回路２２ａ、２２ｂから入力されたＳＤＨ／ＳＯＮＥＴ信号に対して、ＲＰＲ信号処理部１０ａ、１０ｂに接続するノード内経路または対向する高速側インタフェース回路２２ａ、２２ｂに直接接続するノード内冗長用経路のいずれかの経路を選択してスイッチングを行う。
【００３２】
次に、本実施形態のデータ伝送システムの動作を図面を参照して説明する。以下の説明では、ノード１ｆとノード１ｄとの間で信号を送受信する場合を用いて説明する。
【００３３】
先ず、本実施形態のデータ伝送システムの動作の概要を説明する。
【００３４】
図１に示したリングネットワークにおいて障害が発生していない場合には、図３に示すように、ノード１ｆとノード１ｄ間で送受信される信号は、経路２４、ノード１ｅ、経路２３を経由して送受信される。そして、ノード１ｅ内では、高速側ＩＦ２２ａ、ノード内経路５、ＲＰＲ  ＩＦ９、高速側ＩＦ２２ｂを経由する。ここで、図４に示すように、ノード１ｅのＲＰＲ  ＩＦ９に障害が発生し、信号の通過処理が不可能になった場合、ノード１ｅ内ではこの障害が検知され、使用される経路がノード内経路５からノード内冗長用経路６に切り替えられる。そのため、ＲＰＲ  ＩＦ９に障害が発生した場合であっても、ノード内冗長用経路６により経路２４と経路２３との接続は維持され、ノード１ｅを通過する信号は保護される。
【００３５】
次に、本実施形態のデータ伝送システムの詳細動作を説明する。ここでは高速側ＩＦ（ＷＥＳＴ）２２ａより入力されＲＰＲ  ＩＦ９を通過し、高速側ＩＦ（ＥＡＳＴ）２２ｂへ出力される信号の経路切替を例として説明する。
【００３６】
図５を参照すると、ＲＰＲ  ＩＦ９が正常な場合におけるＳＤＨ／ＳＯＮＥＴレイヤスイッチ部２１のスイッチング動作が示されている。
【００３７】
高速側ＩＦ（ＷＥＳＴ）２２ａより入力された信号は分岐部１１ａにより分岐され、セレクタ１２ｂおよびＲＰＲ信号処理部１０ａに出力される。ＲＰＲ信号処理部１０ａ経由にてＲＰＲ  ＩＦ９に入力された信号はＲＰＲ  ＩＦ９内で通過処理をされ、ＲＰＲ信号処理部１０ｂよりセレクタ１２ｂへ出力される。ここでは、ＲＰＲ  ＩＦ９に障害が発生していないため、切替制御部１６からスイッチング信号２０が出力されておらず、セレクタ１２ｂは、ＲＰＲ信号処理部１０ｂより入力された信号を選択して高速側ＩＦ（ＥＡＳＴ）２２ｂへ出力する。高速側ＩＦ（ＥＡＳＴ）２２ｂより入力された信号も同様にして、分岐部１１ｂ、ＲＰＲ信号処理部１０ｂ、ＲＰＲ信号処理部１０ａ、セレクタ１２ａを経由して高速側ＩＦ（ＷＥＳＴ）２２ａに出力される。
【００３８】
次に、ＲＰＲ  ＩＦ９に障害が発生した場合におけるＳＤＨ／ＳＯＮＥＴレイヤスイッチ部２１のスイッチング動作を、図６を参照して説明する。
【００３９】
ＲＰＲ  ＩＦ９に障害３９が発生した場合、この障害の発生はＲＰＲ  ＩＦ監視部１５により感知される。すると、ＲＰＲ  ＩＦ監視部１５は、切替制御部１６に対してアラーム信号１９を出力する。すると、切替制御部１６はセレクタ１２ａ、１２ｂに対してスイッチング信号２０を出力する。このスイッチング信号２０を受けたセレクタ１２ａは、分岐部１１ａから入力される信号を選択して高速側ＩＦ（ＥＡＳＴ）２２ｂへ出力するようスイッチングを行う。これにより高速側ＩＦ（ＷＥＳＴ）２２ａから入力された信号はＲＰＲ  ＩＦ９を経由せずに高速側ＩＦ（ＥＡＳＴ）２２ｂへ通過することができる。
【００４０】
以上の動作は高速側ＩＦ（ＥＡＳＴ）２２ｂから高速側ＩＦ（ＷＥＳＴ）２２ｂへ通過する信号に関しても同様の処理が行われる。
【００４１】
本実施形態のデータ伝送システムは、ＳＤＨ／ＳＯＮＥＴ伝送路上のＲＰＲリングネットワークにおいて、リングを構成するＲＰＲインタフェース（ＲＰＲ  ＩＦ）の一つに障害が発生した場合に、障害を感知しＳＤＨ／ＳＯＮＥＴレイヤスイッチによりこの障害が発生したＲＰＲ ＩＦを迂回することにより、障害が発生したＲＰＲ  ＩＦを通過する信号を保護するものである。
【００４２】
図４に示すように、本実施形態のデータ伝送システムによれば、ＳＤＨ／ＳＯＮＥＴの高速側ＩＦ２２ａ、２２ｂとＲＰＲ  ＩＦ９をつなぐノード内経路５の他に高速側ＩＦ２２ａ、２２ｂ間を直接結ぶノード内冗長用経路６を具備し、ＲＰＲ  ＩＦ９に障害が発生した場合はこれを感知してノード内冗長用経路６を選択するようにする。そのため、あるノードのＲＰＲ  ＩＦ９で障害が発生した場合、その障害が発生したノード内で障害回避を行うことができる。これにより、障害が発生したＲＰＲ  ＩＦ４を通過する信号はＲＰＲ切替を受けることなく障害発生前と同一経路を維持することが出来るため、迂回ルートへの影響を抑えることが可能となる。
【００４３】
（第２の実施形態）
次に、本発明の第２の実施形態のデータ伝送システムについて説明する。
【００４４】
上記第１の実施形態のデータ伝送システムは、ＲＰＲのインタフェースを使用するノードにより構成されたＲＰＲリングネットワークに対して本発明を適用した場合であったが、本発明の第２の実施形態のデータ伝送システムは、Ｌ（レイヤ）２スイッチング機能を持つインタフェースを使用するノードにより構成されたネットワークシステムに対して本発明を適用した場合である。
【００４５】
本実施形態におけるＬ２スイッチは、既存のイーサネット（登録商標）フレームをスイッチングする場合イーサフレームのヘッダを読んでそのフレームをどちらの経路に送信するか、つまりこのノードで分岐するか、このノードは通過させるかを決定するためのスイッチである。
【００４６】
本実施形態のデータ伝送システムの構成を図７に示す。図７においてＳＤＨ／ＳＯＮＥＴ伝送路網に存在する３つのノード２５ｂ、２５ｃ、２５ｄ内にＬ２スイッチＩＦ２８ａ、２８ｂ、２８ｃがあり、それぞれＳＤＨ／ＳＯＮＥＴ伝送路により接続されている。ノード２５ｃにおいてはＬ２スイッチＩＦ２８ｂを通過する信号が存在するのでノード内冗長用経路３０が設定されている。
【００４７】
本実施形態のデータ伝送システムにおける各ノードの動作は、図２に示したブロック図においてＲＰＲフレーム信号の部分を全てイーサ信号に置き換えるたものと同様であるため、その説明は省略する。ただし、図２に示したブロック図においては、ＲＰＲ  ＩＦ９においてＲＰＲフレームからイーサネットフレームへの変換を行っていたが、Ｌ２スイッチＩＦでは、この変換処理が必要なくなる。
【００４８】
なお、ノード内冗長経路３０とノード内経路２９ｂとの切替を実現するための具体的な回路構成については、図２に示した第１の実施形態におけるＳＤＨ／ＳＯＮＥＴレイヤスイッチ部２１等の構成と同様の構成を使用することが可能である。そのため、その詳細な説明については省略する。
【００４９】
次に、本実施形態のデータ伝送システムの動作を図面を参照して説明する。
【００５０】
ネットワークが正常な場合、Ｌ２スイッチＩＦ２８ａとＬ２スイッチＩＦ２８ｃを結ぶ信号はノード２５ｃ内において高速側ＩＦ２７ａ、２７ｂ、ノード内経路２９ｂ、Ｌ２スイッチＩＦ２８ｂ通過する。ここで、Ｌ２スイッチＩＦ２８ｂに障害４０が発生した場合には上記で説明したノード内の経路切替（ＳＤＨ／ＳＯＮＥＴレイヤスイッチ）が動作し、ノード２５ｃを通過する信号はノード内冗長用経路３０を通過する。これによりノード２５ｃを通過する信号が全て遮断されてしまうことを防ぐことが可能となる。以上のように本実施形態のデータ伝送システムによれば、冗長構成を持たないレイヤ２のネットワークにおいて障害が発生したインタフェースを通過する信号をＳＤＨ／ＳＯＮＥＴのスイッチングによって保護することが出来る。
【図面の簡単な説明】
【００５１】
【図１】本発明の第１の実施形態のデータ伝送システムの構成を示す図である。
【図２】図１中の各ノード１ａ〜１ｆにおける冗長構成の詳細を説明するための図である。
【図３】本発明の第１の実施形態のデータ伝送システムにおいて、障害が発生していない場合の動作を説明するための図である。
【図４】本発明の第１の実施形態のデータ伝送システムにおいて、ノード１ｅ内のＲＰＲ  ＩＦ９に障害が発生した場合の動作を説明するための図である。
【図５】ＲＰＲ  ＩＦ９が正常な場合におけるＳＤＨ／ＳＯＮＥＴレイヤスイッチ部２１のスイッチング動作を説明するための図である。
【図６】ＲＰＲ  ＩＦ９に障害が発生した場合におけるＳＤＨ／ＳＯＮＥＴレイヤスイッチ部２１のスイッチング動作を説明するための図である。
【図７】本発明の第２の実施形態のデータ伝送システムの構成を示す図である。
【図８】ＳＤＨ／ＳＯＮＥＴ伝送路上に構成された従来のＲＰＲリングネットワークの構成を示す図である。
【符号の説明】
【００５２】
１ａ〜１ｆ    ノード
５    ノード内経路
６    ノード内冗長用経路
９    ＲＰＲ  ＩＦ（インタフェース）
１０ａ    ＲＰＲ信号処理部（ＷＥＳＴ側）
１０ｂ    ＲＰＲ信号処理部（ＥＡＳＴ側）
１１ａ、１１ｂ    分岐部
１２ａ、１２ｂ    セレクタ
１５    ＲＰＲ  ＩＦ部
１６    切替制御部
１７ａ、１７ｂ    ＳＤＨ／ＳＯＮＥＴ信号
１８    イーサ（Ether）信号
１９    アラーム信号
２０    スイッチング信号
２１    ＳＤＨ／ＳＯＮＥＴレイヤスイッチ部
２２ａ    高速側ＩＦ（ＷＥＳＴ）
２２ｂ    高速側ＩＦ（ＥＡＳＴ）
２３、２４    経路
２５ａ〜２５ｄ    ノード
２７ａ、２７ｂ    高速側ＩＦ
２８ａ〜２８ｃ    Ｌ２スイッチＩＦ
２９ａ〜２９ｃ    ノード内経路
３０    ノード内冗長用経路
３９、４０    障害
４２    輻輳
【図１】
2006311416.tif 000003
【図２】
2006311416.tif 000004
【図３】
2006311416.tif 000005
【図４】
2006311416.tif 000006
【図５】
2006311416.tif 000007
【図６】
2006311416.tif 000008
【図７】
2006311416.tif 000009
【図８】
2006311416.tif 000010